(57)【要約】【課題】  側面に設けられるキーの配置をユーザに分かり易くし、キーの誤操作が起こり難くする携帯端末装置およびキー画像表示プログラムを提供する。【解決手段】  直方体状の携帯端末装置１において、制御部１４によって、携帯端末装置１の側面１ｂに設けられるキー１２に隣接するように、そのキー１２の対応するキー画像１２０を、携帯端末装置１の主面１ａに設けられる表示画面１１１に表示させる。【選択図】      図４
2013225260.tif 000002
【特許請求の範囲】
【請求項１】
直方体状の携帯端末装置において、
携帯端末装置の主面に設けられる表示画面と、
携帯端末装置の側面に設けられ、特定の機能を発揮させるためのキーと、
前記表示画面を制御して画像を表示させる制御部であって、前記キーに対応するキー画像を、前記キーに隣接するように前記表示画面に表示させる制御部とを備えることを特徴とする携帯端末装置。
【請求項２】
前記制御部は、前記キーが操作されているときと、前記キーが操作されていないときとで、前記キー画像の表示態様を異ならせることを特徴とする請求項１に記載の携帯端末装置。
【請求項３】
前記表示画面に対するタッチ操作を検出するタッチ検出部を備え、
前記制御部は、前記キー画像に対するタッチ操作が検出されたときには、前記キーが操作されたとみなして制御を行うことを特徴とする請求項１または２に記載の携帯端末装置。
【請求項４】
主面に表示画面が設けられ、側面にキーが設けられる直方体状のコンピュータを、請求項１〜３のいずれか１つに記載の携帯端末装置として機能させることを特徴とするキー画像表示プログラム。
【発明の詳細な説明】
【技術分野】
【０００１】
本発明は、携帯端末装置およびキー画像表示プログラムに関する。
【背景技術】
【０００２】
表示画面を備える携帯端末装置の分野では、携帯端末装置全体を小型化しつつ、表示画面をできるだけ大きくするために、表示画面を携帯端末装置の主面に設け、携帯端末装置の操作のためのキーを、表示画面が設けられる主面とは別の面に設けることが行われている。たとえば、特許文献１に記載の携帯端末装置は、直方体状の携帯端末装置の一方の主面に表示画面を備え、表示画面の背面となる他方の主面に複数のキーを備えている。この携帯端末装置は、複数のキーの配置がユーザに分かり易くなるように、複数のキーに対応する複数のキー画像を、表示画面側から複数のキーを素通しで見たときの配置で、表示画面に表示させることができる。
【先行技術文献】
【特許文献】
【０００３】
【特許文献１】特開平７−２９５７２０号公報
【発明の概要】
【発明が解決しようとする課題】
【０００４】
携帯端末装置では、表示画面が設けられる一方の主面や、表示画面の背面となる他方の主面ではなく、側面にキーが設けられる場合がある。しかしながら、側面に設けられるキーを、表示画面側から素通しで見たような配置で表示画面に表示することはできない。したがって、特許文献１に記載の携帯端末装置では、側面に設けられるキーの配置をユーザに分かり易くすることはできない。よって、ユーザが表示画面を見ながら側面に設けられるキーを操作すると、誤って意図したキーとは別のキーを操作してしまうことがある。
【０００５】
本発明は、このような課題を解決するためのものであり、側面に設けられるキーの配置をユーザに分かり易くし、キーの誤操作が起こり難くする携帯端末装置およびキー画像表示プログラムを提供することを目的とする。
【課題を解決するための手段】
【０００６】
本発明は、直方体状の携帯端末装置において、
携帯端末装置の主面に設けられる表示画面と、
携帯端末装置の側面に設けられ、特定の機能を発揮させるためのキーと、
前記表示画面を制御して画像を表示させる制御部であって、前記キーに対応するキー画像を、前記キーに隣接するように前記表示画面に表示させる制御部とを備えることを特徴とする携帯端末装置である。
【０００７】
また本発明は、前記制御部は、前記キーが操作されているときと、前記キーが操作されていないときとで、前記キー画像の表示態様を異ならせることを特徴とする。
【０００８】
また本発明は、前記表示画面に対するタッチ操作を検出するタッチ検出部を備え、
前記制御部は、前記キー画像に対するタッチ操作が検出されたときには、前記キーが操作されたとみなして制御を行うことを特徴とする。
【０００９】
また本発明は、主面に表示画面が設けられ、側面にキーが設けられる直方体状のコンピュータを、前記携帯端末装置として機能させることを特徴とするキー画像表示プログラムである。
【発明の効果】
【００１０】
本発明によれば、携帯端末装置の側面に設けられるキーに隣接するように、そのキーに対応するキー画像が表示画面に表示されるので、側面に設けられるキーの配置がユーザに分かり易くなり、キーの誤操作が起こり難くなる。
【００１１】
また本発明によれば、キーの操作に伴ってキー画像の表示態様が変化するので、ユーザは、気づかずにキーを操作していても、表示態様の変化によってキーを操作していることにすぐに気づくことができる。よって、キーの誤操作がより起こり難くなる。
【００１２】
また本発明によれば、キー画像に対するタッチ操作によって、キーを操作したときと同じ機能を発揮させることができるので、キーを操作する必要が無くなる。よって、キーの誤操作がより起こり難くなる。
【００１３】
また本発明によれば、主面に表示画面が設けられ、側面にキーが設けられる直方体状のコンピュータを、前記携帯端末装置として機能させることができる。
【図面の簡単な説明】
【００１４】
【図１】携帯端末装置１の外観を示す斜視図である。
【図２】携帯端末装置１の構成を示すブロック図である。
【図３】キー画像の例であるキー画像１２０を示す図である。
【図４】キー画像１２０の表示態様を異ならせることについて説明するための図である。
【図５】キー画像１２０の表示位置の設定処理を示すフローチャートである。
【発明を実施するための形態】
【００１５】
以下に、本発明の実施形態である携帯端末装置１について説明する。図１は、携帯端末装置１の外観を示す斜視図である。図２は、携帯端末装置１の構成を示すブロック図である。携帯端末装置１は、直方体状であり、主面１ａに表示部１１の表示画面１１１が設けられ、側面１ｂにキー１２が設けられる。また、携帯端末装置１は、内部に、表示画面１１１に対するタッチ操作を検出するタッチ検出部１３と、制御部１４とが設けられる。なお、本実施形態としては、携帯端末装置１は、スマートフォンなどの携帯電話機を想定しているが、これに限定されることはなく、他の実施形態としては、たとえばＰＤＡ
（Personal Digital Assistant）のように電話機能を備えていない装置であってもよい。
【００１６】
表示部１１は、たとえば、液晶ディスプレイなどである。表示部１１は、制御部１４によって制御されることで、表示画面１１１に画像を表示する。
【００１７】
タッチ検出部１３は、投影型静電容量方式タッチパネル、抵抗膜方式タッチパネル、赤外線遮断検出方式タッチパネルなどから構成される。タッチ検出部１３は、表示画面１１１に対するタッチ操作を検出し、そのタッチ操作を行った対象の位置、すなわちタッチ位置に関する情報を取得し、制御部１４へ出力する。
【００１８】
制御部１４は、ＣＰＵ（Central Processing Unit）などの制御演算回路と、ＤＤＲ  ＳＤＲＡＭ（Double Data Rate Synchronous Dynamic Random Access Memory）などの揮発性メモリ、および、フラッシュＲＯＭ（Read Only Memory）、ＥＥＰＲＯＭ（登録商標）、ＨＤＤ（Hard Disk Drive）などの不揮発性メモリを含む記憶回路とを含む。また、制御部１４は、電話機能を発揮するためのマイク、スピーカ、通信回路などや、カメラ機能を発揮するための撮像素子、発光素子などや、鉛直方向を検出するための加速度センサを含む。
【００１９】
記憶回路には、ＯＳ（Operating System）プログラムやアプリケーションプログラムが記憶され、制御演算回路は、これらのプログラムと入力信号とに基づいて演算を行い、他のデバイスを制御する。たとえば、制御演算回路は、表示部１１を制御して、アプリケーションプログラムを表すアイコンを表示画面１１１に表示させる。
【００２０】
キー１２は、回路を開閉し、そのキー１２に対応する機能を発揮させるためにユーザが操作する部分である。たとえば、キー１２に対するユーザの操作によって、制御部１４の制御演算回路の出力端子に接続される信号線と制御演算回路の入力端子に接続される信号線とを含む回路が閉じているときに、制御演算回路はキー１２が押下中であることを認識し、この回路が開いているときに、制御演算回路はキー１２が押下されていないことを認識する。そして、制御演算回路は、キー１２が押下中であることを認識すると、そのキー１２に対応する機能を発揮するように、各デバイスを制御する。
【００２１】
本実施形態では、キー１２として、電源キー１２ａと音量増加キー１２ｂと音量減少キー１２ｃとが、１つの側面１ｂに設けられている。電源キー１２ａは、電源のオンオフを切り替えるためのキー１２であり、所定時間連続して電源キー１２ａが押下されると電源のオンオフが切り替わる。音量増加キー１２ｂは、スピーカの音量を増加させるためのキー１２であり、音量増加キー１２ｂが押下されるとスピーカの音量設定が一段階高いレベルに設定される。音量減少キー１２ｃは、スピーカの音量を減少させるためのキー１２であり、音量減少キー１２ｃが押下されるとスピーカの音量設定が一段階低いレベルに設定される。なお、本発明の他の実施形態としては、各キー１２は、それぞれ異なる側面１ｂに設けられてもよい。
【００２２】
本実施形態は、制御部１４の記憶回路に、本発明に係るキー画像表示プログラムが記憶されることを特徴とする。キー画像表示プログラムは、キー１２に対応する画像であるキー画像を表示画面１１１に表示させるためのプログラムである。制御部１４は、キー画像表示プログラムに基づく第１の機能として、表示画面１１１にキー画像を表示させる。
【００２３】
図３に、キー画像の例であるキー画像１２０を示す。図３（ａ）に示すように、制御部１４は、キー１２に隣接するように、そのキー１２を示すキー画像１２０を表示画面１１１に表示させる。より詳細には、制御部１４は、電源キー１２ａが設けられる側面１ｂに対して図３の紙面内で垂直な方向において、表示画面１１１の電源キー１２ａ側の端からその方向における表示画面１１１の長さの５％〜２０％の範囲内、かつ、電源キー１２ａが設けられる側面１ｂに対して図３の紙面内で平行な方向において、電源キー１２ａの長さの範囲内に、電源キー１２ａを示す電源キー画像１２０ａである「ＰＯＷ」という黒色の文字列を表示させる。
【００２４】
また、制御部１４は、音量増加キー１２ｂが設けられる側面１ｂに対して図３の紙面内で垂直な方向において、表示画面１１１の音量増加キー１２ｂ側の端からその方向における表示画面１１１の長さの５％〜２０％の範囲内、かつ、音量増加キー１２ｂが設けられる側面１ｂに対して図３の紙面内で平行な方向において、音量増加キー１２ｂの長さの範囲内に、音量増加キー１２ｂを示す音量増加キー画像１２０ｂである「Ｖ＋」という黒色の文字列を表示させる。
【００２５】
また、制御部１４は、音量減少キー１２ｃが設けられる側面１ｂに対して図３の紙面内で垂直な方向において、表示画面１１１の音量減少キー１２ｃ側の端からその方向における表示画面１１１の長さの５％〜２０％の範囲内、かつ、音量減少キー１２ｃが設けられる側面１ｂに対して図３の紙面内で平行な方向において、音量減少キー１２ｃの長さの範囲内に、音量減少キー１２ｃを示す音量減少キー画像１２０ｃである「Ｖ−」という黒色の文字列を表示させる。
【００２６】
このように、本実施形態では、各キー１２に隣接するように、各キー１２に対応するキー画像１２０が表示画面１１１に表示されるので、側面１ｂに設けられる各キー１２の配置がユーザに分かり易くなり、キー１２の誤操作が起こり難くなる。なお、本発明の他の実施形態として、電源キー１２ａが携帯端末装置１の右側の側面１ｂに設けられる場合、その電源キー１２ａに隣接するように、電源キー画像１２０ａが表示画面１１１の右側に表示される。また、本発明の他の実施形態として、電源キー１２ａが携帯端末装置１の上側の側面１ｂに設けられる場合、その電源キー１２ａに隣接するように、電源キー画像１２０ａが表示画面１１１の上側に表示される。
【００２７】
制御部１４は、上記の第１の機能を発揮するとともに、キー画像表示プログラムに基づく第２の機能として、キー１２が操作されているときと、そのキー１２が操作されていないときとの間で、キー画像１２０の表示態様を異ならせることができる。図３および図４を用いて、キー画像１２０の表示態様を異ならせることについて説明する。
【００２８】
図４（ａ）は、電源キー１２ａが操作（押下）されている状態を示す図である。図４（ａ）では、電源キー画像１２０ａとして、図３に示す「ＰＯＷ」という黒色の文字列を反転させて白色とした文字列と、その白色の文字列を内部に含む黒色の矩形とが表示されている。図４（ｂ）は、音量減少キー１２ｃが操作（押下）されている状態を示す図である。図４（ｂ）では、音量減少キー画像１２０ｃとして、図３に示す「Ｖ−」という黒色の文字列を反転させて白色とした文字列と、その白色の文字列を内部に含む黒色の矩形とが表示されている。
【００２９】
このように、本実施形態では、キー１２の操作に伴ってキー画像１２０の表示態様が変化するので、ユーザは、気づかずにキー１２を操作していても、表示態様の変化によってキー１２を操作していることにすぐに気づくことができる。よって、キー１２の誤操作がより起こり難くなる。なお、本実施形態では、図３および図４に示すように、キー１２を操作（押下）中のときの方が、操作（押下）されていないときに比べて、キー画像１２０が大きく表示されるので、キー１２を操作していることにより気づき易い。
【００３０】
制御部１４は、上記の第１，２の機能を発揮するとともに、キー画像表示プログラムに基づく第３の機能として、表示画面１１１に表示中のキー画像１２０に対するタッチ操作がタッチ検出部１３によって検出されたときには、そのキー画像１２０に対応するキー１２が操作されたとみなして、各デバイスの制御を行うことができる。たとえば、図３に示す表示画面１１１において「ＰＯＷ」という文字列が表示されている領域に対するタッチ操作が検出されたときには、制御部１４は、電源キー１２ａが操作されたとみなして、電源のオンオフを切り替える。また、たとえば、図３に示す表示画面１１１において「Ｖ＋」という文字列が表示されている領域に対するタッチ操作が検出されたときには、制御部１４は、音量増加キー１２ｂが操作されたとみなして、スピーカの音量設定を一段階高いレベルに設定する。
【００３１】
このように、本実施形態では、キー画像１２０に対するタッチ操作によって、キー１２を操作したときと同じ機能を発揮させることができるので、キー１２を操作する必要が無くなる。よって、キー１２の誤操作がより起こり難くなる。
【００３２】
制御部１４は、上記の第１〜３の機能を発揮するとともに、キー画像表示プログラムに基づく第４の機能として、キー画像１２０を表示する状態と、キー画像１２０を表示しない状態とを任意に切り替えることができる。たとえば、携帯端末装置１には、表示画面１１１が設けられる主面１ａに、キー画像１２０の表示と非表示とを切り替えるための切替キーが設けられる。これにより、本実施形態では、キー画像１２０によって表示画面１１１に表示される他の画像が見え難いときなどに、ユーザの意思で、キー画像１２０を表示させないようにすることができる。
【００３３】
制御部１４は、上記の第１〜４の機能を発揮するとともに、キー画像表示プログラムに基づく第５の機能として、キー画像１２０が表示されている状態において、キー１２が操作されたときには、そのキー１２は操作されなかったものとみなすことができる。すなわち、キー画像１２０を表示させている状態では、キー画像１２０に対するタッチ操作でのみ、キー１２に対応する機能を発揮させることはできなくなる。これにより、本実施形態では、キー１２の誤操作がより起こり難くなる。なお、キー画像１２０が表示されている状態では、キー１２が操作されたときには、そのキー１２に対応する機能が発揮される。
【００３４】
制御部１４は、上記の第１〜３，５の機能を発揮するとともに、キー画像表示プログラムに基づく第６の機能として、加速度センサの検出結果が、表示画面１１１が鉛直方向上方に向けられていることを示すときには、キー画像１２０を表示させ、加速度センサの検出結果が、それ以外を示すとき、たとえば、キー１２が鉛直方向上方に向けられていることを示すときには、キー画像１２０を表示させないようにすることができる。ここで、「表示画面１１１が鉛直方向上方に向けられている」とは、たとえば、表示画面１１１の法線と鉛直方向上方に延びる直線とのなす角度が４５°以下であることをいう。
【００３５】
この第６の機能によれば、表示画面１１１が鉛直方向上方を向いているとき、すなわち、ユーザが表示画面１１１を見ていると推測できるときには、表示画面１１１にキー画像１２０が表示され、その結果、第５の機能により、キー１２が操作されても、その操作は無かったものとみなされる。また、キー１２が鉛直方向上方を向いているとき、すなわち、ユーザがキー１２を見ていると推測できるときには、表示画面１１１にキー画像１２０が表示されないので、キー１２が操作されると、そのキー１２に対応する機能が発揮される。したがって、本実施形態によれば、ユーザがキー１２を見ていると推測できるときにのみ、キー１２の操作によって機能が発揮されるので、キー１２の誤操作がより起こり難くなる。
【００３６】
なお、携帯端末装置１は、第４の機能とともに、第６の機能を発揮してもよい。この場合、表示画面１１１が鉛直方向上方を向いており、かつ、ユーザによって切替キーが操作され、キー画像１２０を表示すべき状態となっているときにのみ、キー画像１２０が表示されることになる。
【００３７】
制御部１４は、上記の第１〜６の機能を発揮するとともに、キー画像表示プログラムに基づく第７の機能として、各キー１２に予め対応付けられている機能を、他の機能に変更することができる。たとえば、電源キー１２ａに予め対応付けられている機能は、電源のオンオフを切り替える機能であるが、この機能を任意のアプリケーションプログラムによる機能へ変更することができる。機能の変更の方法としては、たとえば、電源キー画像１２０ａに対して所定時間タッチ操作を行った後、変更したいアプリケーションプログラムに対応するアイコンに対して所定時間タッチ操作を行う、などの方法が挙げられる。このようにして機能を変更すると、電源キー画像１２０ａは、変更後のアプリケーションプログラムに対応するアイコンへと変更される。したがって、この第７の機能によれば、各キー１２に任意の機能を割り当てることができ、かつ、その機能に対応するキー画像１２０を表示させることができ、各キー１２にどのような機能を割り当てたかを容易に把握することができる。
【００３８】
なお、制御部１４は、加速度センサの検出結果がキー１２が鉛直方向上方に向けられていることを示す場合、すなわち、ユーザがキー１２を見ていると推測できる場合において、そのキー１２が操作されたとき、そのキー１２に予め対応付けられている機能を発揮させ、加速度センサの検出結果が表示画面１１１が鉛直方向上方に向けられていることを示す場合、すなわち、ユーザが表示画面１１１を見ていると推測できる場合において、キー１２が操作されたとき、またはそのキー１２に対応するキー画像１２０に対するタッチ操作が行われたときには、そのキー１２に任意に割り当てられたアプリケーションプログラムに対応する機能を発揮させるようにしてもよい。さらに、制御部１４は、電源がオフになると、各キー１２へのアプリケーションプログラムの割り当てが解除されるようにしてもよい。
【００３９】
本実施形態では、制御部１４は、キー画像表示プログラムに基づく第８の機能として、キー画像表示位置設定機能を発揮することができる。キー画像表示位置設定機能とは、表示画面１１１に対するタッチ操作によって、キー画像１２０の表示位置を任意に設定することができる機能である。
【００４０】
図５を用いて、キー画像表示位置設定機能について説明する。図５は、キー画像表示位置設定機能による、キー画像１２０の表示位置の設定処理を示すフローチャートである。たとえば、表示画面１１１に表示される、キー画像表示プログラムに対応するアイコンに対するタッチ操作が行われると、制御部１４は、キー画像１２０の表示位置の設定処理を開始し、表示画面１１１に、「キーを選択してください」などのメッセージを表示させる。
【００４１】
ステップＳ１では、制御部１４は、所定時間内にキー１２が操作（押下）されたか否かを判断する。所定時間内にキー１２が操作（押下）された場合にはステップＳ２へ進み、所定時間内にキー１２が操作（押下）されなかった場合にはステップＳ５へ進む。
【００４２】
ステップＳ２では、制御部１４は、表示画面１１１に、「表示位置をタッチしてください」などのメッセージを表示させ、その後、所定時間内に表示画面１１１に対するタッチ操作が行われたか否かを判断する。所定時間内に表示画面１１１に対するタッチ操作が行われた場合にはステップＳ３へ進み、所定時間内に表示画面１１１に対するタッチ操作が行われなかった場合にはステップＳ５へ進む。
【００４３】
ステップＳ３では、制御部１４は、ステップＳ２におけるタッチ位置がキー画像１２０の表示位置として妥当か否かを判断する。たとえば、タッチ位置が表示画面１１１の端付近のときに妥当と判断され、中央付近のときに妥当ではないと判断される。ステップＳ２におけるタッチ位置がキー画像１２０の表示位置として妥当である場合にはステップＳ４へ進み、ステップＳ２におけるタッチ位置がキー画像１２０の表示位置として妥当ではない場合にはステップＳ５へ進む。
【００４４】
ステップＳ４では、制御部１４は、ステップＳ２におけるタッチ位置を、ステップＳ１において操作されたキー１２に対応するキー画像１２０の表示位置として設定する。本実施形態では、この設定以降に、第１の機能によって、キー画像１２０が表示されることになる。
【００４５】
ステップＳ５では、表示画面１１１に、「設定処理を終了しますか？（Ｙｅｓ／Ｎｏ）」などのメッセージが表示され、その後、設定処理を終了するか否かを判断する。たとえば、「Ｙｅｓ」に対するタッチ操作が行われたときに設定処理を終了すると判断し、「
Ｎｏ」に対するタッチ操作が行われたときに設定処理を終了しないと判断する。設定処理を終了しない場合にはステップＳ１へ戻り、設定処理を終了する場合にはすべての処理が終了される。
【００４６】
このようなキー画像表示位置設定機能によれば、ユーザは、好みの位置にキー画像１２０を表示させることができるので、携帯端末装置１の使い勝手を向上させることができる。なお、本発明の他の実施形態としては、キー画像表示位置設定機能を備えていなくてもよい。たとえば、他の実施形態では、各キー１２に座標値が対応付けられており、その各座標値は、携帯端末装置１の製造時に制御部１４の記憶回路に記憶される。そして、携帯端末装置１の出荷後に、その携帯端末装置１にキー画像表示プログラムがインストールされ、各キー１２が操作されると、制御部１４の制御演算回路には、キー１２が操作されているという信号と、そのキー１２に対応付けられている座標値とが制御部１４に入力される。このとき、制御演算回路は、キー画像表示プログラムに基づいて、入力された座標値を、そのキー１２に対応するキー画像１２０の表示位置に設定する。この他の実施形態では、キー画像１２０の表示位置を任意に設定することはできないけれども、その代わりに、携帯端末装置１の販売前にキー画像１２０の表示位置を１回設定しておけば、ユーザは設定する必要が無く、よってユーザの手間を減らすことができるという効果がある。
【００４７】
以上に説明した携帯端末装置１は、本発明に係るキー画像表示プログラムが制御部１４の記憶回路に記憶されたコンピュータであるが、携帯端末装置１は、キー画像表示プログラムを記憶する代わりに、上記の第１〜８の機能を発揮するＩＣ（Integral Circuit）チップを備えていてもよい。
【符号の説明】
【００４８】
１  携帯端末装置
１ａ  主面
１ｂ  側面
１１  表示部
１２  キー
１３  タッチ検出部
１４  制御部
１１１  表示画面
１２０  キー画像
【図１】
2013225260.tif 000003
【図２】
2013225260.tif 000004
【図３】
2013225260.tif 000005
【図４】
2013225260.tif 000006
【図５】
2013225260.tif 000007